(57)【特許請求の範囲】
【請求項１】
被清掃面に接触させる清掃部材が交換可能に装着される清掃具本体と、該清掃具本体の一端部に取着する柄部とを備える清掃具であって、
前記清掃具本体は、芯部と、該芯部の幅方向両側に軸方向に延設して設けられた案内溝に沿ってスライド移動可能な、２本の枝部を有する可撓性張出し部とを備え、
前記芯部の柄部側の端部には、案内溝をさらに内側に窪ませた挿入凹部が形成され、
前記可撓性張出し部材の枝部の柄部側の端部には、外方向に突出して清掃部材を保持するための外側突出部と、内方向に突出する内側突出部とが各々設けられ、
前記可撓性張出し部材を前記案内溝に沿ってスライド移動させて前記内側突出部が前記挿入凹部の位置に配置されたときに、前記可撓性張出し部材の２本の枝部間の距離を縮めることによって前記外側突出部による清掃部材の保持状態を解除可能にする清掃具。
【請求項２】
前記芯部から前記可撓性張出し部が張り出した状態では、前記内側突出部が前記案内溝の溝底部に当接して２本の枝部間の距離が縮まるのを阻止することにより、前記清掃部材の前記清掃具本体への装着状態を保持する請求項１記載の清掃具。
【請求項３】
前記内側突出部が前記挿入凹部の位置に配置されたときに、前記２本の枝部を内側に弾性変形させて前記内側突出部を前記挿入凹部に押し込むことにより、前記２本の枝部間の距離を縮めて前記外側突出部による清掃部材の保持状態を解除可能にする請求項１又は２記載の清掃具。
【請求項４】
前記可撓性張出し部の基端部分には、前記枝部の末部を連結すると共に、前記可撓性張出し部の前記芯部からの脱落を防止する連結ストッパー片が設けられており、前記枝部の末部又は前記連結ストッパー片に内外方向を長軸として形成された遊嵌係合穴に、前記連結ストッパー片又は前記枝分れ部の末部から突出する係合ピンを遊嵌配置することにより、前記枝部の末部が、前記連結ストッパー片に内側に弾性変形可能に係合している請求項３に記載の清掃具。
【発明の詳細な説明】
【技術分野】
【０００１】
本発明は、清掃具に関し、特に、清掃シート、清掃布、モップ等の清掃部材が交換可能に装着される清掃具本体と、この清掃具本体の一端部に連設する柄部とを備え、清掃部材を被清掃面に接触させて清掃を行う清掃具に関する。
【背景技術】
【０００２】
例えば不織布等からなる使い捨て用の清掃シートや、清掃布、モップ等の清掃部材を、例えば合成樹脂製の本体部分（清掃具本体）に着脱交換可能に取り付けて用いるハンディモップ等の清掃具が知られている（例えば、特許文献１参照）。これらの清掃具によれば、清掃シート等を廃棄したり、洗い直して繰り返し用いながら、例えば家庭内において簡便且つ手軽に清掃を行うことが可能になる。
【０００３】
また、これらの手で把持して使用する従来の簡易な清掃具では、清掃シートや、清掃布、モップ等の清掃部材を、清掃具本体に着脱交換可能に取り付ける作業を容易に行えるようにすると共に、装着された清掃部材が清掃時に簡単に外れないようにするための種々の工夫がなされている（例えば、特許文献２、特許文献３参照）。例えば、清掃具本体を挿入するための装着用の袋部を清掃部材に設けておき、この装着用の袋部に清掃具本体を挿入した後に、袋部の開口部分に設けた袋側係着部を清掃具本体の基端部分に設けた本体側係着部に係着することによって、清掃部材を外れないように清掃具本体に装着する方法が提案されている。また、清掃部材の交換時には、袋側係着部と本体側係着部との係着状態を解除して、清掃部材を容易に着脱交換することが可能になる。
【特許文献１】特開２００３−２６５３９１号公報
【特許文献２】特開平１０−９９２４６号公報
【特許文献３】特開平１１−８９７７６号公報
【発明の開示】
【発明が解決しようとする課題】
【０００４】
一方、これらの手で把持して使用する簡易な清掃具は、例えば家庭内の多種多様な清掃対象物に対して、例えば埃等に対する簡単な拭き取りから、こびりついた汚れ等を相当の力を加えて除去する清掃まで種々雑多な清掃作業に用いられる。このような清掃対象物や汚れの種類等に応じて、形状や構造の異なる複数の清掃具から、清掃形態に即した適度なしなりを生じさせるものを適宜選択して用いることにより、効率的な清掃を行うことが可能になると考えられるが、複数の清掃具を持ち歩きながら清掃を行うのは不便である。
【０００５】
これに対して、本発明者等は、清掃具本体を、芯部と、芯部の軸方向に移動して芯部から進退可能に突出する可撓性張出し部とによって構成し、芯部と可撓性張出し部とが重複して撓みが抑制された状態と、可撓性張出し部を突出させて当該可撓性張出し部が撓み易くなった状態とを切り替えて、装着された清掃部材による効率の良い清掃を行えるようにした清掃具を開発した（特願２００５−２５９２５６参照）。このような清掃具では、特に可撓性張出し部を突出させて当該可撓性張出し部が撓み易くなった状態において、清掃部材を清掃具本体から外れないように安定して保持しておく必要があると共に、清掃部材の着脱時には、清掃部材を清掃具本体から容易に取り外したり、装着したりできるようにする必要がある。
【０００６】
本発明は、芯部と可撓性張出し部とからなる清掃具本体を備える清掃具において、可撓性張出し部を突出させて当該可撓性張出し部が撓み易くなった状態でも、清掃部材を清掃具本体から外れないように安定して保持しておくことができると共に、清掃部材の着脱時には、清掃部材を清掃具本体から容易に取り外したり、装着したりすることのできる清掃具を提供することを目的とする。
【課題を解決するための手段】
【０００７】
本発明は、被清掃面に接触させる清掃部材が交換可能に装着される清掃具本体と、該清掃具本体の一端部に取着する柄部とを備える清掃具であって、前記清掃具本体は、芯部と、該芯部の幅方向両側に軸方向に延設して設けられた案内溝に沿ってスライド移動可能な、２本の枝部を有する可撓性張出し部とを備え、前記芯部の柄部側の端部には、案内溝をさらに内側に窪ませた挿入凹部が形成され、前記可撓性張出し部の枝部の柄部側の端部には、外方向に突出して清掃部材を保持するための外側突出部と、内方向に突出する内側突出部とが各々設けられ、前記可撓性張出し部を前記案内溝に沿ってスライド移動させて前記内側突出部が前記挿入凹部の位置に配置されたときに、前記可撓性張出し部の２本の枝部間の距離を縮めることによって前記外側突出部による清掃部材の保持状態を解除可能にする清掃具を提供することにより、上記目的を達成したものである。
【発明の効果】
【０００８】
本発明の清掃具によれば、芯部と可撓性張出し部とからなる清掃具本体を備える清掃具において、可撓性張出し部を突出させて当該可撓性張出し部が撓み易くなった状態でも、清掃部材を清掃具本体から外れないように安定して保持しておくことができると共に、清掃部材の着脱時には、清掃部材を清掃具本体から容易に取り外したり、装着したりすることができる。
【発明を実施するための最良の形態】
【０００９】
図１及び図２に示す本発明の好ましい一実施形態に係る清掃具１０は、清掃部材１１を着脱可能に装着して用いられ、柄部１２を手で把持して清掃対象物に付着したごみ、ほこり、汚れ等を清掃部材１１によって捕集するものである。清掃部材１１は、例えば不織布からなる装着袋部１１aの外表面に多数の索条又は糸状の繊維材料１１ｂを植設したり、固着したり、又は溶着することによって形成される。また本実施形態の清掃具１０は、好ましくは、清掃対象物や汚れの種類等に応じて、芯部１４と可撓性張出し部１５とからなる本体部分（清掃具本体）１３のしなり易さを変化させながら、効率良く清掃作業を行えるようにするものである。すなわち、例えば芯部１４と可撓性張出し部１５とが重複して撓みが抑制された状態（図１参照）と、可撓性張出し部１５を突出させてこの可撓性張出し部１５が撓み易くなった状態（図２参照）とを切り替えて、装着された清掃部材１１による清掃を行えるようになっている。
【００１０】
さらに、本実施形態に係る清掃具１０は、可撓性張出し部１５を突出させてこの可撓性張出し部１５が撓み易くなった状態でも、清掃部材１１の装着状態を安定して保持すると共に、芯部１４と可撓性張出し部１５とを重複させた状態で、清掃部材１１を清掃具本体１３に容易且つスムーズに着脱交換できるようにするものである。
【００１１】
そして、本実施形態の清掃具１０は、被清掃面に接触させる清掃部材１１が交換可能に装着される清掃具本体１３と、この清掃具本体１３の一端部に取着する柄部１２とを備えるハンディタイプの清掃具であって、清掃具本体１３は、芯部１４と、芯部１４の幅方向両側に軸方向Ｘに延設して設けられた案内溝１７に沿ってスライド移動可能な、２本の枝部１５ｂを有する可撓性張出し部１５とを備えている。また芯部１４の柄部１２側の端部には、案内溝１７をさらに内側に窪ませた挿入凹部２１（図４参照）が形成され、可撓性張出し部１５の枝部１５ｂの柄部１２側の端部には、外方向に突出して清掃部材１１を保持するための外側突出部２０ａと、内方向に突出する内側突出部２０ｂとが各々設けられており（図３参照）、可撓性張出し部１５を案内溝１７に沿ってスライド移動させて内側突出部２０ｂが挿入凹部２１の位置に配置されたときに、可撓性張出し部１５の２本の枝部１５ｂ間の距離を縮めることによって、外側突出部２０ａによる清掃部材１１の保持状態を解除可能となっている。
【００１２】
また、本実施形態の清掃具１０は、芯部１４から可撓性張出し部１５が張り出した状態では、内側突出部２０ｂが案内溝１７の溝底部１７ａ（図４参照）に当接して２本の枝部１５ｂ間の距離が縮まるのを阻止することにより、清掃部材１１の清掃具本体１３への装着状態を保持するようになっている。
【００１３】
さらに、本実施形態では、枝部１５ｂの内側突出部２０ｂが案内溝１７の挿入凹部２１の位置に配置されたときに、２本の枝部１５ｂを内側に弾性変形させて内側突出部２０ｂを挿入凹部２１に押し込むことにより、２本の枝部１５ｂ間の距離を縮めて外側突出部２０ａによる清掃部材１１の保持状態を解除可能にするようになっている。
【００１４】
本実施形態の清掃具１０を構成する清掃具本体１３は、上述のように芯部１４と可撓性張出し部１５とからなり、例えばポリプロピレン、ポリエチレン等の合成樹脂による成形品である。芯部１４は、図３及び図４にも示すように、例えば両側部１４ａが側端面として垂直に切り欠かれた扁平な略菱形或いは略楕円の断面形状を備えており、例えば幅１５〜４０ｍｍ、長さ１００〜２００ｍｍ程度の縦長帯状の平面形状を備えるように形成される。また芯部１４は、その断面形状によって中央部分が５〜１５ｍｍ程度の相当の厚さを有することにより断面剛性が大きくなっていて、柄部１２を把持して被清掃面に押し付けた際に、可撓性張出し部１５と比較して、軸方向Ｘの撓み剛性が大きなしなり難い部分となっている。
【００１５】
さらに、本実施形態では、芯部１４の先端部には、当該芯部１４の断面形状よりも一廻り断面が大きくなった段差ストッパー部２２が設けられており、可撓性張出し部１５を軸方向Ｘにスライド移動させた際に、この段差ストッパー部２２に可撓性張出し部１５の基端部分１５ｃに取り付けた連結ストッパー片１６を当接させることにより、可撓性張出し部１５が芯部１４から前方に脱落するのを阻止できるようになっている。また芯部１４の後端面には、後方に延設する柄部１２が、例えば溶着接合やネジ嵌合によって一体として取り付けられており、また芯部１４と柄部１２との接合部分には、柄部１２の断面形状よりも一廻り断面が大きくなった基端ストッパー部１９が設けられている。この基端ストッパー部１９に可撓性張出し部１５の基端部分１５ｃの連結ストッパー片１６を当接させることにより、基端係着部２０の内側突出部２０ｂと基端凹部２１とを容易に位置合わせできるようになっており、且つ可撓性張出し部１５が芯部１４から後方に脱落するのを阻止できるようになっている。
【００１６】
ここで、柄部１２は、例えば異なる径を有する複数本の合成樹脂製のパイプ部材１２ａを、軸方向に順次スライド可能に挿入配置しつつ連結することによって構成されるものであり（図１参照）、清掃対象物を清掃するのに適した適宜の長さに調整して清掃作業を行うことができるようになっている。
【００１７】
本実施形態では、芯部１４の両側部１４ａの側端面には、図４に示すように、段差ストッパー部２２を含む軸方向Ｘに沿った芯部１４の全長に亘って、案内溝１７が、幅方向中心側に向かって切り込まれて各々形成されている。また芯部１４の柄部１２側の端部である基端部分１４ｂには、案内溝１７の溝底部１７ａをさらに内側に凹ませて挿入凹部２１が形成されている。なお、挿入凹部２１は、芯部１４の基端部分１４ｂにおいて、両側部１４ａの案内溝１７の間を横断して、両側の溝低部１７ａに跨る貫通穴を形成することによって設けることが好ましい。
【００１８】
芯部１４の両側部１４ａの案内溝１７には、幅方向中央部分にスペース部分１５ａを設けて二股形状に形成された板部材である可撓性張出し部１５の、当該スペース部１５ａを挟んだ両側の枝部１５ｂの内側縁部分が各々挿入配置される。これによって、可撓性張出し部１５は、案内溝１７により案内されて、当該可撓性張出し部１５の幅方向中央部分に配置した芯部１４を両側から挟み込んだ状態で、これの軸方向Ｘにスムーズにスライド移動することが可能になる（図１，図２参照）。
【００１９】
芯部１４と共に清掃具本体１３を構成する可撓性張出し部１５は、例えば０．５〜２．０ｍｍ程度の厚さの板部材であって、好ましくは芯部１４より肉薄で、上述のように、幅方向中央部分にスペース部分１５ａを設けた二股形状に形成される。また一対の枝部１５ｂが設けられた部分の幅が例えば１０〜３０ｍｍ程度、全長が１３０〜２３０ｍｍ程度の大きさの、縦長の平面形状を備えている。これによって可撓性張出し部１５は、柄部１２を把持して当該可撓性張出し部１５のみを被清掃面に押し付けた際に、芯部１４と比較して、しなり易い可撓性に富んだ部分を形成する。さらに、可撓性張出し部１５の先端部分１５ｄは、スペース部分１５ａが形成されず両側の枝部１５ｂが連続する部分となっていると共に、先端側が先細り形状又は湾曲形状に形成されていて、清掃部材１１の装着袋部１１ａに清掃具本体１３を挿入装着し易い形状となっている。
【００２０】
本実施形態では、図２及び図３に示すように、可撓性張出し部（板部材）１５の枝部１５ｂの内側縁部分は、スペース部分１５ａの幅が後方に向けて広がるようにテーパー状に斜めに形成されており、柄部１２側の端部である基端部分１５ｃの近傍では、スペース部分１５ａをさらに外側に拡幅するように形成されている。また、枝部１５ｂの末部でもある可撓性張出し部１５の基端部分１５ｃには、二股形状の外側に突出する外側突出部２０ａと内側に突出する内側突出部２０ｂとを備える、略Ｔ字形状の基端係着部２０が各々設けられている。さらに、基端係着突部２０には、遊嵌係合穴１８が各々開口形成されている。これらの遊嵌係合穴１８は、その長軸方向を二股形状の内外方向Ｙに沿わせて配置した好ましくは扁平な長円形状又は楕円形状を備えており、遊嵌係合穴１８には、後述するように、連結ストッパー片１６から突出する係合ピン２３が遊嵌可能に配置されることになる。
【００２１】
可撓性張出し部１５の枝部１５ｂの内側縁部分が、テーパー状に形成されていることにより、図１に示す芯部１４と可撓性張出し部１５とが重複し、基端係着部２０の内側突出部２０ｂと案内溝１７の基端凹部２１とが位置合せされ、かつ内側縁部分の略全長を案内溝１７に挿入係止したままの状態でも、枝部１５ｂを二股形状の内側に互いに接近するように弾性変形させ、２本の枝部１５ｂ間の距離を縮めることが可能になる。これによって図５に示すように、各係合ピン２３が遊嵌係合穴１８の内側端部に配置された状態から、遊嵌係合穴１８の外側端部に配置されるまで、枝部１５ｂを外側から内側に弾性変形させて、基端係着突部２０の内側突出部分２０ｂを基端凹部２１に押し込むことができるようになっている。なお、本実施形態では、各係合ピン２３が遊嵌係合穴１８の内側端部に配置されて、２本の枝部１５ｂが最も外側に広がった状態では、両側の基端係着部２０の内側突出部分２０ｂ間の間隔ｓ（図３参照）は、芯部１４の両側の案内溝１７の溝低部１７ａ間の厚さと略等しいか、これよりも僅かに広くなっている。
【００２２】
可撓性張出し部（板部材）１５の枝部１５ｂの末部を連結する連結ストッパー片１６は、合成樹脂成形品であって、図６に示すように、芯部１４の扁平な断面形状を上下から挟み込む内周面を備える上下一対の立体帯板片１６ａを、両側の側方フランジ部１６ｂにおいて、前方部分に間隙部１６ｃを保持した状態で後方部分を重ね合わせて接合一体化することによって形成される。これによって、両側の側方フランジ部１６ｂによって挟まれる中間部分には、芯部１４を挿通可能な中空部１６ｄが形成され、側方フランジ部１６ｂの前方部分に保持され間隙部１６ｃには、可撓性張出し部１５の基端部分１５ｃの基端係着部２０が、挟み込まれるようにして配置される。また、両側の側方フランジ部１６ｂの前方部分には、ピン取付け孔２４が形成されている。間隙部１６ｃに可撓性張出し部１５の基端係着部２０を挿入配置した後に、基端係着部２０の遊嵌係合穴１８に挿通させつつ、上下のピン取付け孔２４に亘って係合ピン２３を嵌合装着することにより、連結ストッパー片１６から突出する係合ピン２３は、遊嵌係合穴１８に遊嵌配置されることになる。
【００２３】
上述の構成を備える本実施形態の清掃具１０は、清掃作業時に、清掃具本体１３に清掃部材１１を装着して使用する。すなわち、図１に示すように、連結ストッパー片１６が基端ストッパー部１９に当接するまで可撓性張出し部１５を引き込んで、可撓性張出し部１５の基端係着部２０と芯部１４の基端凹部２１とを位置合わせした状態で、清掃部材１１の装着袋部１１ａに清掃具本体１３を挿入する。また、清掃具本体１３の基端部分１４ｂ，１５ｃが清掃部材１１の開口部分に近づいたら、枝部１５ｂを内側に弾性変形させつつ基端係着部２０の内側突出部２０ｂを案内溝１７の挿入凹部２１に押し込むことにより、外側突出部２０ａの突出状態が解消されるので、基端係着部２０は装着袋部１１ａの開口部分を容易に乗り越えることが可能になる。基端係着部２０が開口部分を乗り越えたら、枝部１５ｂを内側に弾性変形させた状態を開放すれば、枝部１５ｂの弾性復元力によって基端係着部２０は外側に移動し、外側突出部２０ａを突出させて装着袋部１１ａの袋側係着部１１ｃにスムーズに係着させることが可能になる。
【００２４】
なお、装着袋部１１ａの袋側係着部１１ｃは、例えば開口部分を除く周縁部分をシール接合等により接合して不織布から装着袋部１１ａを形成する際に、開口部分の近傍に未接合部分を設けることにより、当該未接合部分に基端係着部２０の外側突出部２０ａが嵌込み係止されるようにして、当該未接合部分を袋側係着部１１ｃとすることができる。
【００２５】
また、本実施形態では、清掃具１０を用いて清掃対象物の清掃を行う際には、枝部１５ｂの弾性付勢力により外側突出部２０ａの袋側係着部１１ｃへの係着状態が保持されるので、清掃具本体１３から清掃部材１１が外れることなく清掃を行うことが可能になる。特に、清掃具本体１３を撓み易くするべく可撓性張出し部１５を突出させれば、基端係着部２０が挿入凹部２１よりも先端側に移動し、内側突出部２０ｂが案内溝１７の溝底部１７ａに当接して、枝分れ部１５ｂを内側に押し込ませることがないので、清掃部材１１の清掃具本体１３への装着状態を強固に保持することが可能になる。
【００２６】
さらに、本実施形態では、清掃部材１１を交換するべく清掃具本体１３から清掃部材１１を取り外す際には、連結ストッパー片１６が基端ストッパー部１９に当接するまで可撓性張出し部１５を引き込み、可撓性張出し部１５の基端係着部２０と芯部１４の挿入凹部２１とを位置合わせした状態で、枝部１５ｂを内側に弾性変形させつつ内側突出部２０ｂを挿入凹部２１に押し込めば、外側突出部２０ａの突出状態が解消されるので、清掃具本体１３から清掃部材１１を容易に取り外すことが可能になる。
【００２７】
したがって、本実施形態によれば、芯部１４と可撓性張出し部１５とからなる清掃具本体１３を備える清掃具１０において、可撓性張出し部１５を突出させて当該可撓性張出し部１５が撓み易くなった状態でも、清掃部材１１を清掃具本体１３から外れないように安定して保持しておくことが可能になると共に、清掃部材１１の着脱時には、清掃部材１１を清掃具本体１３から容易に取り外したり、装着したりすることが可能になる。
【００２８】
図７は、本発明の他の実施形態に係る清掃具２５の要部を示すものである。図７に示す清掃具２５では、可撓性張出し部１５の枝部１５ｂの末部を連結すると共に可撓性張出し部１５の芯部１４からの脱落を防止する連結ストッパー片２６に、内外方向Ｙを長軸とする遊嵌係合穴２７が形成されている。またこの遊嵌係合穴２７に、可撓性張出し部１５の枝部１５ｂの末部から突出する係合ピン２８が遊嵌配置されることにより、枝分れ部１５ｂの末部が、連結ストッパー片２６に、内側に弾性変形可能に係合している。図７に示す清掃具２５によっても、上記実施形態の清掃具１０と同様の作用効果が奏される。
【００２９】
図８（ａ）〜（ｃ）は、本発明のさらに他の実施形態に係る清掃具３０を示すものである。図８（ａ）〜（ｃ）に示す清掃具３０では、可撓性張出し部１５’の基端係着部２０’の内側突出部２０ｂ’が、芯部１４’の基端部分１４ｂ’の溝底部１７ａ’をさらに内側に凹ませて設けた挿入凹部２１’の位置に配置された状態では、内側突出部２０ｂ’は挿入凹部２１’に挿入されて２本の枝部１５ｂ’間の距離が縮められている。これによって、外側突出部２０ａ’の外側への突出量を少なくして、清掃部材１１を清掃具本体１３’に着脱可能な状態になると共に、外側突出部２０ａ’による清掃部材１１の保持状態を解除可能な状態になる（図８（ａ）参照）。なお、図８（ａ）〜（ｃ）において、符号３１で示される斜線部分は、芯部１４’の両側部１４ａ’に形成された案内溝１７’の溝底部１７ａ’間に挟まれた骨部であり、挿入凹部２１’は、芯部１４’の基端部分１４ｂ’において、この骨部３１を横断する貫通穴として形成されている。
【００３０】
そして、図８（ａ）に示す状態で、清掃部材１１（図１参照）を清掃具本体１３’に装着した後に、例えば図８（ｂ）に示すように、芯部１４’の基端ストッパー部１９’に設けられた楔突起３２を備えるスライドパーツ３３を、ガイド穴３４に沿って前方に押出すことにより、可撓性張出し部１５’の一対の枝部１５ｂ’を外側に弾性変形させつつ、楔突起３２が両側の内側突出部２０ｂ’の間に押し込まる。これによって、楔突起３２は、両側の内側突出部２０ｂ’の間隔を押し広げ、外側突出部２０ａ’を外側へ移動させて、外側突出部２０ａ’を清掃部材１１の袋側係着部１１ｃに係着させることにより、清掃部材１１を清掃具本体１３’に装着した状態を保持することが可能になる。
【００３１】
また、楔突起３２の押し込みによって、押し広げられた一対の枝部１５ｂ’は、その弾性により内側に向けて付勢された弾発力を生じると共に、内側突出部２０ｂ’は楔突起３２に乗り上げた状態となるので、図８（ｃ）に示すように、可撓性張出し部１５’を芯部１４’から引き出す際に、内側突出部２０ｂ’は、楔突起３２から骨部３１による溝底部１７ａ’に沿ってスムーズにスライド移動することが可能になる。
【００３２】
さらに、可撓性張出し部１５’を芯部１４’から引き出した状態から、図８（ｂ）に示す引き出す前の状態に戻し、さらに図８（ａ）に示すスライドパーツ３３を押出す前の状態に戻せば、押し広げられた一対の枝部１５ｂ’の弾発力によって、内側突出部２０ｂ’が挿入凹部２１に落ち込むように挿入されると共に、外側突出部２０ａ’は内側に移動して清掃部材１１の袋側係着部１１ｃとの係着が開放されるので、清掃部材１１の保持状態を解除可能として、清掃部材１１の着脱交換を容易に行うことが可能になる。そして、図８（ａ）〜（ｄ）に示す清掃具３０によっても、上記実施形態の清掃具１０と同様の作用効果が奏される。
【００３３】
なお、本発明は上記各実施形態に限定されることなく種々の変更が可能である。例えば、清掃具本体の芯部は、合成樹脂製のものの他、金属製等の部材であっても良く、その断面形状は、略菱形や略楕円以外の、円形、矩形等の種々の断面形状を備えるものであっても良い。また、清掃具本体の可撓性張出し部は、合成樹脂製のものの他、薄い金属、ゴム、スポンジ等からなるものであっても良い。さらに、可撓性張出し部を芯部の軸方向にスライド移動させる案内溝は、直線状の他、螺旋状等に形成することもでる。さらにまた、清掃具本体に交換可能に装着される清掃部材は、装着袋部の外周面に繊維材料を植設したモップ状のものである必要は必ずしも無く、例えば不織布等からなる使い捨て用の清掃シート、清掃布を袋状に形成したもの等、装着袋部を備えるその他の種々の清掃部材を用いることもできる。
【図面の簡単な説明】
【００３４】
【図１】本発明の好ましい一実施形態に係る清掃具の芯部と可撓性張出し部とが重複して撓みが抑制された状態の斜視図である。
【図２】本発明の好ましい一実施形態に係る清掃具の芯部から可撓性張出し部を突出させて可撓性張出し部が撓み易くなった状態の要部斜視図である。
【図３】本発明の好ましい一実施形態に係る清掃具の要部分解斜視図である。
【図４】本発明の好ましい一実施形態に係る清掃具を構成する芯部を、上部右側の略４半部分を切り欠いて示す斜視図である。
【図５】係合ピンを遊嵌係合穴に遊嵌配置した状態を説明する部分平面図である。
【図６】連結ストッパー片の斜視図である。
【図７】本発明の他の実施形態に係る清掃具の要部斜視図である。
【図８】（ａ）〜（ｃ）は、本発明のさらに他の実施形態に係る清掃具を示す平面図である。
【符号の説明】
【００３５】
１０，２５，３０  清掃具
１１  清掃部材
１１ａ  清掃部材の装着袋部
１１ｂ  細い索条状又は糸状の繊維材料
１１ｃ  袋側係着部
１２  柄部
１３  清掃具本体
１４，１４’  芯部
１４ａ，１４ａ’  芯部の側部
１４ｂ，１４ｂ’  芯部の基端部分
１５，１５’  可撓性張出し部
１５ａ  可撓性張出し部のスペース部分
１５ｂ，１５ｂ’  可撓性張出し部の枝部
１５ｃ  可撓性張出し部の基端部分
１６，２６  連結ストッパー片
１７，１７’  案内溝
１７ａ，１７ａ’  案内溝の溝底部
１８，２７  遊嵌係合穴
１９，１９’  基端ストッパー部
２０，２０’  基端係着部
２０ａ，２０ａ’  基端係着突部の外側突出部
２０ｂ，２０ｂ’  基端係着突部の内側突出部
２１，２１’  挿入凹部
２２  段差ストッパー部
２３，２８  係合ピン
２４  ピン取付け孔
３１  骨部
３２  楔突起
３３  スライドパーツ
３４  ガイド穴
Ｘ    芯部の軸方向
Ｙ    二股形状の内外方向
【図１】
0004509019.tif 000002
【図２】
0004509019.tif 000003
【図３】
0004509019.tif 000004
【図４】
0004509019.tif 000005
【図５】
0004509019.tif 000006
【図６】
0004509019.tif 000007
【図７】
0004509019.tif 000008
【図８】
0004509019.tif 000009